(57)【要約】【課題】へら等の板状清掃体とブラシ等の清掃部とを分離して使いやすくすると共に、分離した板状清掃体の紛失防止のため、板状清掃体の収納が容易である清掃具を提供する。【解決手段】ブラシ３（清掃部）を取り付けた柄２は、へら５（板状清掃体）を板面に沿う方向にスライドさせて収納する凹状の収納部２ｇを有する。へら５は、スライドさせる方向の一方側の板厚が他方側の板厚より厚く形成され、収納部２ｇは、へら５の一方側の板厚よりも狭い間隔で対向した壁部を有する。へら５は、スライドさせる方向と交差する方向での板の幅が収納部２ｇの幅より広いために、スライドさせる方向と交差する方向での板の縁部５ｂが収納部２ｇより横方向にはみ出す。縁部５ｂは凹凸を有する。【選択図】図９
2013106800.tif 000002
【特許請求の範囲】
【請求項１】
柄に清掃部を取り付けた清掃具において、
板状清掃体を備え、
前記柄は、前記板状清掃体を板面に沿う方向にスライドさせて収納する凹状の収納部を有することを特徴とする清掃具。
【請求項２】
前記板状清掃体は、前記スライドさせる方向の一方側の板厚が他方側の板厚より厚く形成され、
前記収納部は、前記板状清掃体の一方側の板厚よりも狭い間隔で対向した壁部を有することを特徴とする請求項１に記載の清掃具。
【請求項３】
前記板状清掃体は、前記スライドさせる方向と交差する方向での板の幅が前記収納部の幅より広いことを特徴とする請求項１又は２に記載の清掃具。
【請求項４】
前記板状清掃体は、前記スライドさせる方向と交差する方向での板の縁部に凹凸を有することを特徴とする請求項３に記載の清掃具。
【発明の詳細な説明】
【技術分野】
【０００１】
本発明は、調理用の容器や食器を清掃する際に使用する清掃具に関する。
【背景技術】
【０００２】
従来、柄の端部にブラシとへらとを表裏一体に設け、容器や食器等の形状に応じて手で柄を持つときの角度を変えて、ブラシとへらとを使い分けるようにした清掃具が公知である（特許文献１参照）。
【先行技術文献】
【特許文献】
【０００３】
【特許文献１】特開２００８−３０７２６４号公報
【発明の概要】
【発明が解決しようとする課題】
【０００４】
特許文献１に記載の清掃具では、使用するブラシ又はへらが清掃対象物の清掃箇所に当たり、使用しないへら又はブラシを清掃対象物の清掃箇所に当たらないようにする必要があり、操作が面倒である。
【０００５】
本願発明は、上述したような事情に鑑みてなされたものであり、へら等の板状清掃体とブラシ等の清掃部とを分離して使いやすくすると共に、分離した板状清掃体の紛失防止のため、板状清掃体の収納が容易である清掃具を提供することを目的とする。
【課題を解決するための手段】
【０００６】
本発明に係る清掃具は、柄に清掃部を取り付けた清掃具において、板状清掃体を備え、前記柄は、前記板状清掃体を板面に沿う方向にスライドさせて収納する凹状の収納部を有することを特徴とする。
本発明においては、板状清掃体を使用しない場合は板状清掃体を板面に沿う方向にスライドさせ、柄が有する凹状の収納部に収納する。板状清掃体を使用する場合は板状清掃体を収納時とは反対の方向にスライドさせ、柄の凹状の収納部から取り出す。
【０００７】
本発明に係る清掃具は、前記板状清掃体は、前記スライドさせる方向の一方側の板厚が他方側の板厚より厚く形成され、前記収納部は、前記板状清掃体の一方側の板厚よりも狭い間隔で対向した壁部を有することを特徴とする。
本発明においては、板厚が厚い側を前側にして板状清掃体をスライドさせて柄の収納部に収納すると、板状清掃体の板厚が厚い部分が板状清掃体の一方側の板厚よりも狭い間隔で対向した収納部の壁部に当接して保持される。板状清掃体を柄の収納部から収納方向と反対側に引っ張ると、板状清掃体の板厚が厚い部分に対する収納部の壁部による保持が解除され、板状清掃体を取り出すことができる。
【０００８】
本発明に係る清掃具は、前記板状清掃体は、前記スライドさせる方向と交差する方向での板の幅が前記収納部の幅より広いことを特徴とする。
本発明においては、板状清掃体を柄の収納部に収納した状態で、スライドさせる方向と交差する方向で板状清掃体の板の縁部が収納部より横方向にはみ出す。そのため、収納部より横方向にはみ出た板状清掃体の板の縁部を把持して板状清掃体をスライドさせ、収納部から取り出すことができる。また、取り出した板状清掃体の板の縁部を把持してスライドさせ、収納部に収納することができる。
【０００９】
本発明に係る清掃具は、前記板状清掃体は、前記スライドさせる方向と交差する方向での板の縁部に凹凸を有することを特徴とする。
本発明においては、板状清掃体を柄の収納部に収納した状態でスライドさせる方向と交差する方向で収納部より横方向にはみ出た板状清掃体の板の縁部を把持する場合に縁部の凹凸が指に引っ掛かり、把持し易い。
【発明の効果】
【００１０】
本発明によれば、へら等の板状清掃体を板面に沿う方向にスライドさせて柄側の凹状の収納部に収納するので、板状清掃体とブラシ等の清掃部とを分離して使いやすくすると共に、分離した板状清掃体の紛失防止のため、板状清掃体の収納が容易である清掃具が提供される。
【００１１】
本発明によれば、板状清掃体の板厚が厚い部分を収容部側の狭い間隔の壁部に当接させて保持するので、板状清掃体の収納及び取り出し操作が簡単である。
【００１２】
本発明によれば、スライドさせる方向と交差する方向で収納部より横方向にはみ出た板状清掃体の板の縁部を把持することにより、板状清掃体の収納及び取り出し操作が容易になる。
【００１３】
本発明によれば、スライドさせる方向と交差する方向で収納部より横方向にはみ出た板状清掃体の縁部の凹凸が指に引っ掛かり、把持し易いので、板状清掃体の収納及び取り出し操作が更に容易になる。
【図面の簡単な説明】
【００１４】
【図１】本発明の実施の形態に係る清掃具の斜視図である。
【図２】図１に示す板状清掃体の平面図である。
【図３】図２のＩＩＩ−ＩＩＩ線における正面断面図である。
【図４】図１に示す清掃具本体の平面図及び一部透視図である。
【図５】図１に示す清掃具本体の正面図である。
【図６】図１に示す清掃具本体の側面図である。
【図７】図４のＶＩＩ−ＶＩＩ線における正面断面図である。
【図８】図５のＶＩＩＩ−ＶＩＩＩ線における平面断面図である。
【図９】本発明の実施の形態に係る清掃具の平面図及び一部透視図である。
【図１０】図９に示す清掃具の正面図である。
【図１１】図９に示す清掃具の側面図である。
【図１２】図９のＸＩＩ−ＸＩＩ線における正面断面図である。
【発明を実施するための形態】
【００１５】
以下、本発明に係る清掃具の実施の形態について図面に基づいて説明する。
図１は本発明の実施の形態に係る清掃具の斜視図、図２は図１に示す板状清掃体の平面図、図３は図２のＩＩＩ−ＩＩＩ線における正面断面図、図４は図１に示す清掃具本体の平面図及び一部透視図、図５は図１に示す清掃具本体の正面図、図６は図１に示す清掃具本体の側面図、図７は図４のＶＩＩ−ＶＩＩ線における正面断面図、図８は図５のＶＩＩＩ−ＶＩＩＩ線における平面断面図である。
【００１６】
本発明に係る清掃具１は、外形が棒状の柄２及び柄２の一端に取り付けたブラシ３を備えた清掃具本体と、柄２に収納されるへら５とを有している。ブラシ３が清掃部に相当し、へら５が板状清掃体に相当する。ブラシ３はシリコントレイなどの容器の内面の汚れを取るために使用され、へら５は容器の隅部の汚れを擦り取るために使用される。
【００１７】
へら５は、一方端側の横幅が狭くなっている幅略長方形の板状をなし、幅が広い側の板厚が他方側より厚く形成されている。板厚が厚い側の板部分は両側の縁部５ａに凹凸を形成してあり、中央に貫通孔５ｂが設けてある。板厚が薄い側の板の表面には窪み５ｃが形成してある。へら５には、板の幅が広い縁部５ａと板の幅が狭い縁部との境に傾斜した段部５ｄが設けてある。へら５は合成樹脂製である。
【００１８】
柄２は、ブラシ３を取り付ける基部２ａと、基部２ａに連なる略円筒状の筒部２ｂとを有する。筒部２ｂは基部２ａの反対側の端部が開放され、該開放された端部の両側の筒壁に筒軸方向に沿ったスリット２ｃが形成されている。スリット２ｃは筒部２ｂの断面円の中心を通る直径上に位置している。各スリット２ｃの箇所で対向する壁部２ｄ，２ｄの間隔はへら５の板厚が厚い部分の板厚よりも狭く形成してある。筒部２ｂにはスリット２ｃに対して略９０度回転対称の位置に貫通孔２ｅが設けてある。スリット２ｃの底部２ｈは傾斜している。そして、スリット２ｃを設けた端部から基部２ａの内壁面までの筒部２ｂの内部空間が、へら５を収納する凹状の収納部２ｇを構成している。
【００１９】
柄２の基部２ａには、ブラシ３に設けた２つの突起３ａを挿入して、ブラシ３を柄に保持するための２つの保持孔２ｆが設けてある。ブラシ３は、表面に微小な凹凸を有する粗面に形成されている。ブラシ３の材質は合成樹脂である。尚、ブラシ３は起毛タイプのものでもよい。
【００２０】
次に、へら５の柄２への収納について説明する。図９は本発明の実施の形態に係る清掃具の平面図及び一部透視図、図１０は図９に示す清掃具の正面図、図１１は図９に示す清掃具の側面図、図１２は図９のＸＩＩ−ＸＩＩ線における正面断面図である。
【００２１】
へら５の幅方向の両側の縁部５ａに指を当てて把持し、板厚の薄い側を前にして柄２のスリット２ｃの方から筒部２ｂの軸方向に沿って収納部２ｇに挿入する。へら５の段部５ｄが柄２のスリット２ｃの底部２ｈに突き当たるまで挿入すると、へら５の段部５ｄの傾斜面とスリット２ｃの底部２ｈの傾斜面とが密接し、へら５の位置が定まる。同時に、へら５の板厚が厚い部分がスリット２ｃの対向した壁部２ｄ，２ｄに当接して保持される。その結果、へら５は安定した状態で収納部２ｇに収納され、へら５の紛失を避けることができる。
【００２２】
尚、へら５を柄２に収納した状態ではへら５の貫通孔５ｂと柄２の貫通孔２ｅとが同軸に位置しているので、図示しないフック等の引っ掛け具に各貫通孔２ｅ，５ｂを通して係止させて保存することができる。
【符号の説明】
【００２３】
１        清掃具
２        柄
２ｇ      収納部
３        ブラシ（清掃部）
５        へら（板状清掃体）
５ａ      縁部
【図１】
2013106800.tif 000003
【図２】
2013106800.tif 000004
【図３】
2013106800.tif 000005
【図４】
2013106800.tif 000006
【図５】
2013106800.tif 000007
【図６】
2013106800.tif 000008
【図７】
2013106800.tif 000009
【図８】
2013106800.tif 000010
【図９】
2013106800.tif 000011
【図１０】
2013106800.tif 000012
【図１１】
2013106800.tif 000013
【図１２】
2013106800.tif 000014